(57)【要約】【課題】排出台から用紙が取り除かれたと誤検知してしまうことを防止することができるプリンタを提供する。【解決手段】プリンタは、排出台と、発光部と、受光部とを備える。前記排出台は、印字した用紙を筐体の外部に排出する排出口から排出された用紙を載置する。前記発光部は、前記排出台の下方に設けられ、当該排出口に設けられた開口を介して前記排出台の上方に光を照射する。前記受光部は、前記排出台の前記開口の上方に設けられ、下方からの光を受光する。前記排出台は、外乱光を拡散反射させる凹凸が上面に設けられている。【選択図】図４
2019038663.tif 000002
【特許請求の範囲】
【請求項１】
印字した用紙を筐体の外部に排出する排出口から排出された用紙を載置する排出台と、
前記排出台の下方に設けられ、当該排出口に設けられた開口を介して前記排出台の上方に光を照射する発光部と、
前記排出台の前記開口の上方に設けられ、下方からの光を受光する受光部と、
を備え、
前記排出台は、外乱光を拡散反射させる凹凸が上面に設けられている、
プリンタ。
【請求項２】
前記排出口は、前記用紙の先端を、前記排出台に向けて排出し、
前記排出台は、前記上面に前記用紙の排出方向と略平行の凸部を備える、
請求項１に記載のプリンタ。
【請求項３】
前記排出台は、平坦な上面の前記凸部を備える、
請求項２に記載のプリンタ。
【請求項４】
前記排出台は、前記凹凸を形成する塗料が塗付されている、
請求項１乃至３の何れか一項に記載のプリンタ。
【請求項５】
前記排出台は、前記凹凸として、前記用紙の排出方向と平行に楔形状が形成されている、
請求項１に記載のプリンタ。
【発明の詳細な説明】
【技術分野】
【０００１】
本発明の実施形態は、プリンタに関する。
【背景技術】
【０００２】
従来、ロール状に巻かれたロール紙に各種情報を印字するプリンタが知られている。このようなプリンタは、排出口から排出された用紙が排出台から取り除かれたか否かを検知するセンサが取り付けられている場合がある。
【０００３】
このようなセンサは、例えば排出口に取り付けられる光センサにより実現される。例えば、光センサは、排出された用紙により遮光されずに、光を受光することができたか否かを検知する。そして、プリンタは、光センサの検知結果に基づいて、排出台に用紙があるか否かを判定する。
【０００４】
しかしながら、排出台で反射された太陽光や照明光等の反射光を光センサが検知した場合、プリンタは、排出台には用紙があるにも関わらず、用紙は取り除かれたと誤検知してしまう。
【発明の概要】
【発明が解決しようとする課題】
【０００５】
本発明が解決しようとする課題は、排出台から用紙が取り除かれたと誤検知してしまうことを防止することができるプリンタを提供することである。
【課題を解決するための手段】
【０００６】
実施形態のプリンタは、排出台と、発光部と、受光部とを備える。前記排出台は、印字した用紙を筐体の外部に排出する排出口から排出された用紙を載置する。前記発光部は、前記排出台の下方に設けられ、当該排出口に設けられた開口を介して前記排出台の上方に光を照射する。前記受光部は、前記排出台の前記開口の上方に設けられ、下方からの光を受光する。前記排出台は、外乱光を拡散反射させる凹凸が上面に設けられている。
【図面の簡単な説明】
【０００７】
【図１】図１は、実施形態に係るレシートプリンタを示す外観斜視図である。
【図２】図２は、レシートプリンタの上部ケースを開放した状態を示す斜視図である。
【図３】図３は、レシートプリンタの構造を示す斜視図である。
【図４】図４は、微小な凹凸が上面に形成された排出台の斜視図である。
【図５】図５は、楔形状の突出部が形成された排出台の斜視図である。
【発明を実施するための形態】
【０００８】
以下、添付図面を参照して、プリンタの実施形態を詳細に説明する。なお、以下に説明する実施形態は、プリンタの一実施形態であって、その構成や仕様等を限定するものではない。本実施形態のプリンタは、ロール状に巻かれた用紙に取引内容を印字したレシートを発行するレシートプリンタへの適用例である。
【０００９】
図１は、実施形態に係るレシートプリンタ１を示す外観斜視図である。図２は、レシートプリンタ１の上部ケース３を開放した状態を示す斜視図である。図３は、レシートプリンタ１の構造を示す斜視図である。
【００１０】
レシートプリンタ１は、下部ケース２と、上部ケース３との筐体に覆われている。そして、レシートプリンタ１は、下部ケース２と、上部ケース３とにより外部からの衝撃や埃等から保護されている。
【００１１】
下部ケース２は、略直方体状のケースである。下部ケース２は、上面に上部ケース３が開閉可能に取り付けられる。また、下部ケース２には、レシートプリンタ１と外部機器との接続に使われる接続端子（不図示）や、レシートプリンタ１に電源を供給する電源端子（不図示）等が設けられる。
【００１２】
上部ケース３は、下部ケース２の上面の開口を閉じる蓋として用いられる。
【００１３】
レシートプリンタ１は、下部ケース２と、上部ケース３との間隙から取引内容が印字されたレシート用紙４を筐体の外部に排出する排出口５を前面に備えている。また、レシートプリンタ１は、排出口５の前方に、排出口５から排出されたレシート用紙４が載置される排出台６を備えている。
【００１４】
レシートプリンタ１は、上部ケース３が開放された内部に、ロール状に巻かれたレシート用紙４を収納する収納部１０を備える。
【００１５】
上部ケース３は、内部に印字ヘッド１１を備えている。例えば、印字ヘッド１１は、発熱体を有するサーマルヘッドである。下部ケース２は、内部にプラテンローラ１２を備えている。例えば、プラテンローラ１２は、ゴム等の弾性を有する素材で形成されている。そして、プラテンローラ１２は、収納部１０から引き出したレシート用紙４を、印字ヘッド１１に押圧する。また、プラテンローラ１２は、モータ等により回転駆動する。これにより、印字ヘッド１１と、プラテンローラ１２とは、レシート用紙４を搬送するとともに、レシート用紙４に各種情報を印字する。
【００１６】
レシートプリンタ１は、印字ヘッド１１及びプラテンローラ１２よりも搬送方向下流側の下部ケース２に、レシート用紙４を切断するカッター１３を備えている。カッター１３は、印字ヘッド１１及びプラテンローラ１２によるレシート用紙４の搬送が完了した場合に、可動刃を迫り上げる。これにより、レシートプリンタ１は、レシート用紙４を切断する。
【００１７】
レシートプリンタ１は、カッター１３よりも搬送方向下流側に、発光部２１と受光部２２とを有するレシート検知部２０を備える。発光部２１は、例えばＬＥＤ（Light  Emitting  Diode）等の発光素子である。発光部２１は、排出台６の下方であって、下部ケース２の前面の内側に配置される。受光部２２は、例えば光を検知する受光素子である。受光部２２は、排出台６の上方であって、上部ケース３の内側に配置される。
【００１８】
排出台６は、発光部２１の上方に開口６１を備えている。なお、開口６１には、ゴミや埃が入り込むことを防止するために、発光部２１が照射した光を透過する透明なシール等が貼り付けられていてもよい。
【００１９】
レシートプリンタ１は、発光部２１から放出された光が開口６１を通過して、受光部２２が検知した場合に、排出台６にはレシート用紙４が無いと判定する。一方、レシートプリンタ１は、発光部２１が照射した光を受光部２２が検知することができない場合に、排出台６にはレシート用紙４が有ると判定する。
【００２０】
仮に、発光部２１が上部ケース３に下方に向けて取り付けられ、受光部２２が下部ケース２に上方に向けて取り付けられ場合、受光部２２は、太陽光や照明光等の外乱光を、発光部２１が照射した光として検知してしまうことがある。この場合、レシートプリンタ１は、排出台６にはレシート用紙４が有るにも関わらず、排出台６にはレシート用紙４が無いと誤検知してしまうことがある。
【００２１】
そのため、レシートプリンタ１は、排出口５に設けられた開口６１を介して排出台６の上方に光を照射する発光部２１と、排出台６の開口６１の上方に設けられ、下方からの光を受光する受光部２２とを備えている。これにより、レシートプリンタ１は、レシート用紙４を透過して開口６１から入り込んだ外乱光により、レシート用紙４が無いと誤検知してしまうことを防止している。
【００２２】
しかしながら、レシートプリンタ１は、排出台６に光沢がある場合、排出台６で反射した外乱光を受光部２２が検知することにより、排出台６にはレシート用紙４が無いと誤検知してしまうことがある。さらに詳しくは、外乱光は、レシート用紙４を透過して排出台６で反射する。また、排出台６で反射した外乱光は、レシート用紙４を透過する。そして、レシートプリンタ１は、レシート用紙４を透過した外乱光を、受光部２２が検知することにより発光部２１が照射した光と誤検知してしまうことがある。または、レシートプリンタ１は、排出台６のレシート用紙４が載置されていない箇所で反射した外乱光を受光部２２が検知することにより、誤検知してしまうことがある。
【００２３】
そこで、排出台６は、上面６２に外乱光の反射を拡散反射させる微小な凹凸が形成されている。排出台６は、外乱光の反射を拡散反射させることにより受光部２２に反射される光を減らしている。ここで、図４は、微小な凹凸が上面６２に形成された排出台６の斜視図である。微小な凹凸は、表面に細かい凹凸のパターンを付けるシボ加工により形成される。なお、微小な凹凸の形成は、シボ加工に限らず、光沢を消す塗料を塗付することにより形成してもよい。光沢を消す塗料には、例えば微小な粒子が含まれている。そのため、排出台６は、光沢を消す塗料を塗付することにより、粒子によって微小な凹凸が形成される。
【００２４】
ところで、レシート用紙４は、収納部１０にロール状に巻かれて収納されている。そのため、レシートプリンタ１は、湾曲したレシート用紙４を排出口５から排出する。そして、排出されたレシート用紙４の先端は、排出台６の上面６２に向けられている。レシートプリンタ１は、排出台６の上面６２にシボ加工が施されている場合、排出されたレシート用紙４の先端がシボ加工の凹凸に引っかかってしまい、レシート用紙４を正常に排出することができない。
【００２５】
排出台６は、上面６２にリブ状の細長い凸部６３を備えている。凸部６３は、排出台６の上面６２に、レシート用紙４の排出方向と略平行に並べられている。また、凸部６３には、シボ加工等の凹凸を付ける加工が施されていない。すなわち、凸部６３は、シボ加工等の凹凸がない平坦な上面を備えている。そして、レシート用紙４は、排出台６の凸部６３と接するため、排出台６の上面６２に接しなくなる。従って、レシートプリンタ１は、排出台６の上面６２の凹凸にレシート用紙４を引っかけることなく正常に排出することができる。さらに、凸部６３の表面積は小さいため、受光部２２は、凸部６３で反射した光を誤検知してしまうこともない。
【００２６】
以上のように、本実施形態に係るレシートプリンタ１は、太陽光や照明光等の外乱光を拡散反射させる凹凸が上面６２に形成された排出台６を備えている。そのため、受光部２２には、排出台６で反射された外乱光が照射されなくなる。従って、本実施形態に係るレシートプリンタ１は、排出台６からレシート用紙４が取り除かれたと誤検知してしまうことを防止することができる。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００２８】
また、上記実施形態では、排出台６には、外乱光を拡散反射させる凹凸として、シボ加工が施されていると説明した。しかしながら、外乱光を拡散反射させる凹凸は、シボ加工に限らない。図５は、楔形状の突出部６４が形成された排出台６の斜視図である。図５に示す排出台６には、レシート用紙４の排出方向と平行に楔形状の突出部６４が形成されている。排出口５は、突出部６４の斜辺により外乱光を拡散反射させる。よって、レシートプリンタ１は、排出台６からレシート用紙４が取り除かれたと誤検知してしまうことを防止することができる。
【００２９】
また、上記実施形態では、レシートを印字するレシートプリンタ１に適用する場合を例に説明した。しかし、プリンタは、レシートプリンタ１以外の装置にも適用することができる。例えば、プリンタは、ラベルを印字するラベルプリンタや、ＰＯＳ端末の印字部や、現金自動預け払い機の印字部等に適用することができる。
【符号の説明】
【００３０】
１  レシートプリンタ
３  上部ケース
２  下部ケース
４  レシート用紙
５  排出口
６  排出台
１０  収納部
１１  印字ヘッド
１２  プラテンローラ
１３  カッター
２０  レシート検知部
２１  発光部
２２  受光部
６１  開口
６２  上面
６３  凸部
６４  突出部
【先行技術文献】
【特許文献】
【００３１】
【特許文献１】特開２０１３−２３４０５９号公報
【図１】
2019038663.tif 000003
【図２】
2019038663.tif 000004
【図３】
2019038663.tif 000005
【図４】
2019038663.tif 000006
【図５】
2019038663.tif 000007